【手続補正書】
【提出日】平成17年3月7日(2005.3.7)
【手続補正１】
【補正対象書類名】明細書
【補正対象項目名】発明の名称
【補正方法】変更
【補正の内容】
【発明の名称】発光装置及びその駆動方法
【手続補正２】
【補正対象書類名】明細書
【補正対象項目名】特許請求の範囲
【補正方法】変更
【補正の内容】
【特許請求の範囲】
【請求項１】
第１のゲート信号線駆動回路と、第２のゲート信号線駆動回路と、画素とを有し、
前記画素は、ＥＬ素子と、前記ＥＬ素子の発光をそれぞれ制御する第１のＴＦＴ及び第２のＴＦＴと、前記第１のＴＦＴ及び第２のＴＦＴの駆動を制御する第３のＴＦＴ及び第４のＴＦＴとを有し、
前記第１のＴＦＴと前記第２のＴＦＴは並列に接続されており、
前記第１のゲート信号線駆動回路によって前記第３のＴＦＴの駆動が制御され、
前記第２のゲート信号線駆動回路によって前記第４のＴＦＴの駆動が制御され、
前記第３のＴＦＴまたは前記第４のＴＦＴによって前記ＥＬ素子の発光又は非発光が制御されることを特徴とする発光装置。
【請求項２】
第１のゲート信号線駆動回路と、第２のゲート信号線駆動回路と、画素とを有し、
前記画素は、ＥＬ素子と、前記ＥＬ素子の発光をそれぞれ制御する第１のＴＦＴ及び第２のＴＦＴと、前記第１のＴＦＴ及び第２のＴＦＴの駆動を制御する第３のＴＦＴ及び第４のＴＦＴとを有し、
前記第１のＴＦＴと前記第２のＴＦＴは並列に接続されており、
前記第１のゲート信号線駆動回路によって前記第３のＴＦＴの駆動が制御され、
前記第２のゲート信号線駆動回路によって前記第４のＴＦＴの駆動が制御され、
前記第３のＴＦＴによって前記第１のＴＦＴ及び前記第２のＴＦＴは選択され、前記第４のＴＦＴによって、前記第１のＴＦＴ及び前記第２のＴＦＴのゲート電位が消去され、前記ＥＬ素子の発光又は非発光が制御されることを特徴とする発光装置。
【請求項３】
第１のゲート信号線駆動回路と、第２のゲート信号線駆動回路と、画素とを有し、
前記複数の画素は、ＥＬ素子と、前記ＥＬ素子の発光をそれぞれ制御する第１のＴＦＴ及び第２のＴＦＴと、前記第１のＴＦＴ及び第２のＴＦＴの駆動を制御する第３のＴＦＴ及び第４のＴＦＴとを有し、
前記第１のＴＦＴと前記第２のＴＦＴは並列に接続されており、
前記第１のゲート信号線駆動回路によって前記第３のＴＦＴの駆動が制御され、
前記第２のゲート信号線駆動回路によって前記第４のＴＦＴの駆動が制御され、
前記第３のＴＦＴまたは前記第４のＴＦＴによって前記複数のＥＬ素子の発光する時間を制御することで階調表示を行うことを特徴とする発光装置。
【請求項４】
第１のゲート信号線駆動回路と、第２のゲート信号線駆動回路と、画素とを有し、
前記複数の画素は、ＥＬ素子と、第３のＴＦＴと、第４のＴＦＴと、第１のＴＦＴと、第２のＴＦＴとを有し、
前記第１のＴＦＴと前記第２のＴＦＴは並列に接続されており、
前記第１のゲート信号線駆動回路から出力される第１のゲート信号によって前記第３のＴＦＴの駆動が制御され、
前記第２のゲート信号線駆動回路から出力される第２のゲート信号によって前記第４のＴＦＴの駆動が制御され、
前記第３のＴＦＴまたは前記第４のＴＦＴによって前記第１のＴＦＴ及び前記第２のＴＦＴの駆動が制御され、
前記第１のＴＦＴ及び前記第２のＴＦＴによって前記ＥＬ素子の発光又は非発光が制御されることを特徴とする発光装置。
【請求項５】
第１のゲート信号線駆動回路と、第２のゲート信号線駆動回路と、画素とを有し、
前記複数の画素は、ＥＬ素子と、第３のＴＦＴと、第４のＴＦＴと、第１のＴＦＴと、第２のＴＦＴとを有し、
前記第１のＴＦＴと前記第２のＴＦＴは並列に接続されており、
前記第１のゲート信号線駆動回路から出力される第１のゲート信号によって前記第３のＴＦＴの駆動が制御され、
前記第２のゲート信号線駆動回路から出力される第２のゲート信号によって前記第４のＴＦＴの駆動が制御され、
前記第３のＴＦＴまたは前記第４のＴＦＴによって前記第１のＴＦＴ及び前記第２のＴＦＴの駆動が制御され、
前記第１のＴＦＴ及び前記第２のＴＦＴによって前記ＥＬ素子の発光する時間が制御されることで、階調表示が行われることを特徴とする発光装置。
【請求項６】
ソース信号線駆動回路と、第１のゲート信号線駆動回路と、第２のゲート信号線駆動回路と、画素部と、前記ソース信号線駆動回路に接続された複数のソース信号線と、前記第１のゲート信号線駆動回路に接続された複数の第１のゲート信号線と、前記第２のゲート信号線駆動回路に接続された複数の第２のゲート信号線と、複数の電源供給線とを有し、
前記画素部は複数の画素を有しており、
前記複数の画素は、第３のＴＦＴと、第１のＴＦＴと、第２のＴＦＴと、第４のＴＦＴと、ＥＬ素子とをそれぞれ有し、
前記第１のＴＦＴと前記第２のＴＦＴは並列に接続されており、
前記第３のＴＦＴが有するゲート電極は、前記複数の第１のゲート信号線のいずれか１つと接続されており、
前記第３のＴＦＴが有するソース領域とドレイン領域は、一方は前記複数のソース信号線のいずれか１つと接続され、他方は前記第１のＴＦＴが有するゲート電極及び前記第２のＴＦＴが有するゲート電極と接続されており、
前記第４のＴＦＴが有するゲート電極は前記複数の第２のゲート信号線のいずれか１つと接続されており、
前記第４のＴＦＴが有するソース領域とドレイン領域は、一方は前記電源供給線と接続され、他方は前記第１及び前記第２のＴＦＴが有するゲート電極と接続されており、
前記第１のＴＦＴが有するソース領域及び前記第２のＴＦＴが有するソース領域は前記電源供給線に接続されており、
前記第１のＴＦＴが有するドレイン領域及び前記第２のＴＦＴが有するドレイン領域は前記ＥＬ素子に接続されていることを特徴とする発光装置。
【請求項７】
ソース信号線駆動回路と、第１のゲート信号線駆動回路と、第２のゲート信号線駆動回路と、画素部と、前記ソース信号線駆動回路に接続された複数のソース信号線と、前記第１のゲート信号線駆動回路に接続された複数の第１のゲート信号線と、前記第２のゲート信号線駆動回路に接続された複数の第２のゲート信号線と、複数の電源供給線とを有し、
前記画素部は複数の画素を有しており、
前記複数の画素は、第３のＴＦＴと、第１のＴＦＴと、第２のＴＦＴと、第４のＴＦＴと、ＥＬ素子とをそれぞれ有し、
前記第１のＴＦＴと前記第２のＴＦＴは並列に接続されており、
前記ＥＬ素子は、画素電極と、一定の電位に保たれた対向電極と、前記画素電極と前記対向電極の間に設けられたＥＬ層とを有しており、
前記第３のＴＦＴが有するゲート電極は、前記複数の第１のゲート信号線のいずれか１つと接続されており、
前記第３のＴＦＴが有するソース領域とドレイン領域は、一方は前記複数のソース信号線のいずれか１つと接続され、他方は前記第１のＴＦＴが有するゲート電極及び前記第２のＴＦＴが有するゲート電極と接続されており、
前記第４のＴＦＴが有するゲート電極は前記複数の第２のゲート信号線のいずれか１つと接続されており、
前記第４のＴＦＴが有するソース領域とドレイン領域は、一方は前記電源供給線と接続され、他方は前記第１及び前記第２のＴＦＴが有するゲート電極と接続されており、
前記第１のＴＦＴが有するソース領域及び前記第２のＴＦＴが有するソース領域は前記電源供給線に接続されており、
前記第１のＴＦＴが有するドレイン領域及び前記第２のＴＦＴが有するドレイン領域は前記ＥＬ素子が有する画素電極に接続されていることを特徴とする発光装置。
【請求項８】
請求項７において、前記画素電極が陽極である場合、前記第１のＴＦＴ及び前記第２のＴＦＴはｐチャネル型ＴＦＴであることを特徴とする発光装置。
【請求項９】
請求項７において、前記画素電極が陰極である場合、前記第１のＴＦＴ及び前記第２のＴＦＴはｎチャネル型ＴＦＴであることを特徴とする発光装置。
【請求項１０】
請求項７乃至請求項９のいずれか一において、前記画素電極と、前記第１のＴＦＴが有するドレイン領域及び前記第２のＴＦＴが有するドレイン領域とは、直接、もしくは少なくとも１つの配線を介して接続されており、
前記画素電極が、前記第１のＴＦＴが有するドレイン領域及び前記第２のＴＦＴが有するドレイン領域、もしくは前記少なくとも１つの配線と接続している領域の上に絶縁膜が形成されていることを特徴とする発光装置。
【請求項１１】
請求項１０において、前記絶縁膜は遮光性を有していることを特徴とする発光装置。
【請求項１２】
ソース信号線と、第１のゲート信号線と、第２のゲート信号線と、電源供給線と、第３のＴＦＴと、第１のＴＦＴと、第２のＴＦＴと、第４のＴＦＴと、ＥＬ素子とを有する画素を複数有し、
前記第３のＴＦＴが有するゲート電極は、前記第１のゲート信号線に接続されており、
前記第３のＴＦＴが有するソース領域とドレイン領域は、一方は前記ソース信号線に、他方は前記第１及び前記第２のＴＦＴが有するゲート電極に接続されており、
前記第１のＴＦＴと前記第２のＴＦＴは並列に接続されており、
前記第４のＴＦＴが有するゲート電極は前記第２のゲート信号線に接続されており、
前記第４のＴＦＴが有するソース領域とドレイン領域は、一方は前記電源供給線に、他方は前記第１及び前記第２のＴＦＴが有するゲート電極に接続されており、
前記第１及び前記第２のＴＦＴが有するソース領域は前記電源供給線に接続されており、
前記第１及び前記第２のＴＦＴが有するドレイン領域は前記ＥＬ素子に接続されていることを特徴とする発光装置。
【請求項１３】
請求項１乃至請求項１2のいずれか一において、前記ＥＬ層は低分子系有機物質またはポリマー系有機物質であることを特徴とする発光装置。
【請求項１４】
請求項１3において、前記低分子系有機物質は、Ａｌｑ3（トリス−８−キノリライト−アルミニウム）またはＴＰＤ（トリフェニルアミン誘導体）からなることを特徴とする発光装置。
【請求項１５】
請求項１3において、前記ポリマー系有機物質は、ＰＰＶ（ポリフェニレンビニレン）、ＰＶＫ（ポリビニルカルバゾール）またはポリカーボネートからなることを特徴とする発光装置。
【請求項１６】
請求項1乃至請求項15のいずれか一において、
前記第１のＴＦＴが有するゲート電極及び前記第２のＴＦＴが有するゲート電極に接続されたゲート配線と、前記複数の電源供給線のうちいずれか１つと接続された容量配線とを有し、
前記第３のＴＦＴ、前記第４のＴＦＴ、前記第１のＴＦＴ及び前記第２のＴＦＴが有するゲート絶縁膜が、前記ゲート配線と前記容量配線との間に設けられていることを特徴とする発光装置。
【請求項１７】
請求項6乃至請求項16のいずれか一において、前記複数の画素のうち、前記複数の第１のゲート信号線が設けられている方向に沿って並んでいるいずれか２つの画素は、前記複数の電源供給線のうちのいずれか１つを挟んで隣り合っており、
前記２つの画素がそれぞれ有する第１のＴＦＴのソース領域及び第２のＴＦＴのソース領域は、前記複数の電源供給線のうちのいずれか１つに接続されていることを特徴とする発光装置。
【請求項１８】
請求項６乃至請求項１７のいずれか一において、前記複数の第１のゲート信号線が設けられている方向に沿って並んでいるいずれか２つの画素は、前記複数の第２のゲート信号線のうちのいずれか１つを挟んで隣り合っており、前記２つの画素がそれぞれ有する第１のＴＦＴのゲート電極及び第２のＴＦＴのゲート電極は、前記複数の第２のゲート信号線のうちのいずれか１つに接続されており、
前記２つの画素がそれぞれ有する第１のＴＦＴのソース領域及び第２のＴＦＴのソース領域は、前記複数の電源供給線のうちのいずれか１つに接続されていることを特徴とする発光装置。
【請求項１９】
請求項６乃至請求項１７のいずれか一において、前記複数の第１のゲート信号線と、前記複数の第２のゲート信号線は平行に設けられていることを特徴とする発光装置。
【請求項２０】
請求項１９において、前記複数の第１のゲート信号線と、前記複数の第２のゲート信号線が、絶縁膜を間に挟んで重なっていることを特徴とする発光装置。
【請求項２１】
請求項６乃至請求項２０のいずれか一において、前記複数のソース信号線と、前記複数の電源供給線とは平行に設けられていることを特徴とする発光装置。
【請求項２２】
請求項２１において、前記複数のソース信号線と、前記複数の電源供給線とは、絶縁膜を間に挟んで重なっていることを特徴とする発光装置。
【請求項２３】
請求項６乃至請求項２２のいずれか一において、前記複数の第１のゲート信号線と、前記複数の電源供給線は平行に設けられていることを特徴とする発光装置。
【請求項２４】
請求項２３において、前記複数の第１のゲート信号線と、前記複数の電源供給線とは、絶縁膜を間に挟んで重なっていることを特徴とする発光装置。
【請求項２５】
請求項６乃至請求項２４のいずれか一において、前記複数の第２のゲート信号線と、前記複数の電源供給線とは平行に設けられていることを特徴とする発光装置。
【請求項２６】
請求項２５において、前記複数の第２のゲート信号線と、前記複数の電源供給線とは、絶縁膜を間に挟んで重なっていることを特徴とする発光装置。
【請求項２７】
請求項１乃至請求項２６のいずれか一において、前記第１のＴＦＴ及び前記第２のＴＦＴは同じ極性を有することを特徴とする発光装置。
【請求項２８】
請求項１乃至請求項２７のいずれか一において、前記第３のＴＦＴ、前記第４のＴＦＴ、前記第１のＴＦＴまたは前記第２のＴＦＴがトップゲート型のＴＦＴであることを特徴とする発光装置。
【請求項２９】
請求項１乃至請求項２７のいずれか一において、前記第３のＴＦＴ、前記第４のＴＦＴ、前記第１のＴＦＴまたは前記第２のＴＦＴがボトムゲート型のＴＦＴであることを特徴とする発光装置。
【請求項３０】
請求項６乃至請求項２９のいずれか一において、前記ソース信号線駆動回路はシフトレジスタ、第１のラッチ及び第２のラッチを有していることを特徴とする発光装置。
【請求項３１】
請求項３０において、前記第１のラッチまたは前記第２のラッチは、２つのクロックドインバーターと、２つのインバーターとを有していることを特徴とする発光装置。
【請求項３２】
請求項１乃至請求項３２のいずれか一に記載の発光装置を用いたことを特徴とするコンピューター。
【請求項３３】
請求項１乃至請求項３２のいずれか一に記載の発光装置を用いたことを特徴とするビデオカメラ。
【請求項３４】
請求項１乃至請求項３２のいずれか一に記載の発光装置を用いたことを特徴とするＤＶＤプレーヤー。
【請求項３５】
ＥＬ素子と、前記ＥＬ素子の発光をそれぞれ制御する第１のＴＦＴ及び第２のＴＦＴとを有し、前記第１のＴＦＴと前記第２のＴＦＴは並列に接続された発光装置の駆動方法であって、
１フレーム期間内にｎ個の書き込み期間Ｔａ１、Ｔａ２、…、Ｔａｎと、（ｍ−１）個の消去期間Ｔｅ１、Ｔｅ２、…、Ｔｅ（ｍ−１）（ｍは２からｎまでの任意の数）とが設けられており、
前記書き込み期間Ｔａ１、Ｔａ２、…、Ｔａｎのうち、書き込み期間Ｔａ１、Ｔａ２、…、Ｔａｍと、前記消去期間Ｔｅ１、Ｔｅ２、…、Ｔｅ（ｍ−１）とはそれぞれ互いに一部重なっており
前記書き込み期間Ｔａ１、Ｔａ２、…、Ｔａｎのそれぞれが開始されてから、前記書き込み期間Ｔａ１、Ｔａ２、…、Ｔａｎのそれぞれの次に出現する書き込み期間もしくは前記消去期間が開始されるまでの期間が表示期間Ｔｒ１、Ｔｒ２、…、Ｔｒｎとなり、
前記表示期間Ｔｒ１、Ｔｒ２、…、Ｔｒｎの長さの比が２0：２1：…、２(n-1)となるため、前記消去期間Ｔｅ１、Ｔｅ２、…、Ｔｅ（ｍ−１）のそれぞれが開始されてから、前記消去期間Ｔｅ１、Ｔｅ２、…、Ｔｅ（ｍ−１）のそれぞれの次に出現する書き込み期間が開始されるまでの期間に、非表示期間Ｔｄ１、Ｔｄ２、…、Ｔｄ（ｍ−１）を設け、
前記書き込み期間Ｔａ１、Ｔａ２、…、Ｔａｎにおいて、デジタルビデオ信号を前記第１のＴＦＴが有するゲート電極及び前記第２のＴＦＴが有するゲート電極へ入力し、
前記消去期間Ｔｅ１、Ｔｅ２、…、Ｔｅ（ｍ−１）において、前記第１のＴＦＴが有するゲート電極及び前記第２のＴＦＴが有するゲート電極に入力された前記デジタルビデオ信号を消去し、
前記デジタルビデオ信号によって、前記表示期間Ｔｒ１、Ｔｒ２、…、Ｔｒｎにおいて前記ＥＬ素子が発光するか発光しないかを選択することを特徴とする発光装置の駆動方法。
【請求項３６】
第１のゲート信号線駆動回路と、第２のゲート信号線駆動回路と、画素とを有し、
前記画素は、ＥＬ素子と、前記ＥＬ素子の発光をそれぞれ制御する第１のＴＦＴ及び第２のＴＦＴと、前記第１のＴＦＴ及び第２のＴＦＴの駆動を制御する第３のＴＦＴ及び第４のＴＦＴとを有し、前記第１のＴＦＴと前記第２のＴＦＴは並列に接続されており、発光装置の駆動方法であって、
１フレーム期間内にｎ個の書き込み期間Ｔａ１、Ｔａ２、…、Ｔａｎと、（ｍ−１）個の消去期間Ｔｅ１、Ｔｅ２、…、Ｔｅ（ｍ−１）（ｍは２からｎまでの任意の数）とが設けられており、
前記書き込み期間Ｔａ１、Ｔａ２、…、Ｔａｎのうち、書き込み期間Ｔａ１、Ｔａ２、…、Ｔａｍと、前記消去期間Ｔｅ１、Ｔｅ２、…、Ｔｅ（ｍ−１）とはそれぞれ互いに一部重なっており
前記書き込み期間Ｔａ１、Ｔａ２、…、Ｔａｎのそれぞれが開始されてから、前記書き込み期間Ｔａ１、Ｔａ２、…、Ｔａｎのそれぞれの次に出現する書き込み期間もしくは前記消去期間が開始されるまでの期間が表示期間Ｔｒ１、Ｔｒ２、…、Ｔｒｎとなり、
前記表示期間Ｔｒ１、Ｔｒ２、…、Ｔｒｎの長さの比が２0：２1：…、２(n-1)となるため、前記消去期間Ｔｅ１、Ｔｅ２、…、Ｔｅ（ｍ−１）のそれぞれが開始されてから、前記消去期間Ｔｅ１、Ｔｅ２、…、Ｔｅ（ｍ−１）のそれぞれの次に出現する書き込み期間が開始されるまでの期間に、非表示期間Ｔｄ１、Ｔｄ２、…、Ｔｄ（ｍ−１）を設け、
前記書き込み期間Ｔａ１、Ｔａ２、…、Ｔａｎにおいて、前記第１のゲート信号線駆動回路によって、前記第３のTFTが選択され、前記選択された第３のTFTによって前記第１のTFT及び前記第２のTFTが選択され、デジタルビデオ信号を前記第１のＴＦＴが有するゲート電極及び前記第２のＴＦＴが有するゲート電極へ入力し、
前記消去期間Ｔｅ１、Ｔｅ２、…、Ｔｅ（ｍ−１）において、前記第２のゲート信号線駆動回路によって、前記第４のTFTが選択され、前記選択された第４のTFTによって前記第１のTFT及び前記第２のTFTが選択され、前記第１のＴＦＴが有するゲート電極及び前記第２のＴＦＴが有するゲート電極に入力された前記デジタルビデオ信号を消去し、
前記デジタルビデオ信号によって、前記表示期間Ｔｒ１、Ｔｒ２、…、Ｔｒｎにおいて前記ＥＬ素子が発光するか発光しないかを選択することを特徴とする発光装置の駆動方法。
【請求項３７】
ソース信号線駆動回路と、第１のゲート信号線駆動回路と、第２のゲート信号線駆動回路と、画素部と、前記ソース信号線駆動回路に接続された複数のソース信号線と、前記第１のゲート信号線駆動回路に接続された複数の第１のゲート信号線と、前記第２のゲート信号線駆動回路に接続された複数の第２のゲート信号線と、複数の電源供給線とを有し、
前記画素部は複数の画素を有しており、
前記複数の画素は、第３のＴＦＴと、第１のＴＦＴと、第２のＴＦＴと、第４のＴＦＴと、ＥＬ素子とをそれぞれ有し、
前記第１のＴＦＴと前記第２のＴＦＴは並列に接続されており、
前記第３のＴＦＴが有するゲート電極は、前記複数の第１のゲート信号線のいずれか１つと接続されており、
前記第３のＴＦＴが有するソース領域とドレイン領域は、一方は前記複数のソース信号線のいずれか１つと接続され、他方は前記第１のＴＦＴが有するゲート電極及び前記第２のＴＦＴが有するゲート電極と接続されており、
前記第４のＴＦＴが有するゲート電極は前記複数の第２のゲート信号線のいずれか１つと接続されており、
前記第４のＴＦＴが有するソース領域とドレイン領域は、一方は前記電源供給線と接続され、他方は前記第１及び前記第２のＴＦＴが有するゲート電極と接続されており、
前記第１のＴＦＴが有するソース領域及び前記第２のＴＦＴが有するソース領域は前記電源供給線に接続されており、
前記第１のＴＦＴが有するドレイン領域及び前記第２のＴＦＴが有するドレイン領域は前記ＥＬ素子に接続された発光装置の駆動方法であって、
１フレーム期間内にｎ個の書き込み期間Ｔａ１、Ｔａ２、…、Ｔａｎと、（ｍ−１）個の消去期間Ｔｅ１、Ｔｅ２、…、Ｔｅ（ｍ−１）（ｍは２からｎまでの任意の数）とが設けられており、
前記書き込み期間Ｔａ１、Ｔａ２、…、Ｔａｎのうち、書き込み期間Ｔａ１、Ｔａ２、…、Ｔａｍと、前記消去期間Ｔｅ１、Ｔｅ２、…、Ｔｅ（ｍ−１）とはそれぞれ互いに一部重なっており
前記書き込み期間Ｔａ１、Ｔａ２、…、Ｔａｎのそれぞれが開始されてから、前記書き込み期間Ｔａ１、Ｔａ２、…、Ｔａｎのそれぞれの次に出現する書き込み期間もしくは前記消去期間が開始されるまでの期間は表示期間Ｔｒ１、Ｔｒ２、…、Ｔｒｎであり、
前記消去期間Ｔｅ１、Ｔｅ２、…、Ｔｅ（ｍ−１）のそれぞれが開始されてから、前記消去期間Ｔｅ１、Ｔｅ２、…、Ｔｅ（ｍ−１）のそれぞれの次に出現する書き込み期間が開始されるまでの期間が非表示期間Ｔｄ１、Ｔｄ２、…、Ｔｄ（ｍ−１）であり、
前記消去期間Ｔｅ１、Ｔｅ２、…、Ｔｅ（ｍ−１）のそれぞれが開始されてから、前記消去期間Ｔｅ１、Ｔｅ２、…、Ｔｅ（ｍ−１）のそれぞれの次に出現する書き込み期間が開始されるまでの期間が非表示期間Ｔｄ１、Ｔｄ２、…、Ｔｄ（ｍ−１）であり、
前記書き込み期間Ｔａ１、Ｔａ２、…、Ｔａｎにおいて、前記ソース信号線駆動回路から出力されたデジタルビデオ信号を前記第１のＴＦＴが有するゲート電極及び前記第２のＴＦＴが有するゲート電極へ入力し、
前記消去期間Ｔｅ１、Ｔｅ２、…、Ｔｅ（ｍ−１）において、前記第１のＴＦＴが有するゲート電極及び前記第２のＴＦＴが有するゲート電極に入力された前記デジタルビデオ信号を消去し、
前記デジタルビデオ信号によって、前記表示期間Ｔｒ１、Ｔｒ２、…、Ｔｒｎにおいて前記複数のＥＬ素子が発光するか発光しないかが選択され、
前記表示期間Ｔｒ１、Ｔｒ２、…、Ｔｒｎの長さの比を、２0：２1：…、２(n-1)で表すことを特徴とする発光装置の駆動方法。
【請求項３８】
ソース信号線駆動回路と、第１のゲート信号線駆動回路と、第２のゲート信号線駆動回路と、画素部と、前記ソース信号線駆動回路に接続された複数のソース信号線と、前記第１のゲート信号線駆動回路に接続された複数の第１のゲート信号線と、前記第２のゲート信号線駆動回路に接続された複数の第２のゲート信号線と、複数の電源供給線とを有し、
前記画素部は複数の画素を有しており、
前記複数の画素は、第３のＴＦＴと、第１のＴＦＴと、第２のＴＦＴと、第４のＴＦＴと、ＥＬ素子とをそれぞれ有し、
前記第１のＴＦＴと前記第２のＴＦＴは並列に接続されており、
前記ＥＬ素子は、画素電極と、一定の電位に保たれた対向電極と、前記画素電極と前記対向電極の間に設けられたＥＬ層とを有しており、
前記第３のＴＦＴが有するゲート電極は、前記複数の第１のゲート信号線のいずれか１つと接続されており、
前記第３のＴＦＴが有するソース領域とドレイン領域は、一方は前記複数のソース信号線のいずれか１つと接続され、他方は前記第１のＴＦＴが有するゲート電極及び前記第２のＴＦＴが有するゲート電極と接続されており、
前記第４のＴＦＴが有するゲート電極は前記複数の第２のゲート信号線のいずれか１つと接続されており、
前記第４のＴＦＴが有するソース領域とドレイン領域は、一方は前記電源供給線と接続され、他方は前記第１及び前記第２のＴＦＴが有するゲート電極と接続されており、
前記第１のＴＦＴが有するソース領域及び前記第２のＴＦＴが有するソース領域は前記電源供給線に接続されており、
前記第１のＴＦＴ第１のＴＦＴが有するドレイン領域及び前記第２のＴＦＴが有するドレイン領域は前記ＥＬ素子が有する画素電極に接続された発光装置の駆動方法であって、
１フレーム期間内にｎ個の書き込み期間Ｔａ１、Ｔａ２、…、Ｔａｎと、（ｍ−１）個の消去期間Ｔｅ１、Ｔｅ２、…、Ｔｅ（ｍ−１）（ｍは２からｎまでの任意の数）とが設けられており、
前記書き込み期間Ｔａ１、Ｔａ２、…、Ｔａｎのうち、書き込み期間Ｔａ１、Ｔａ２、…、Ｔａｍと、前記消去期間Ｔｅ１、Ｔｅ２、…、Ｔｅ（ｍ−１）とはそれぞれ互いに一部重なっており
前記書き込み期間Ｔａ１、Ｔａ２、…、Ｔａｎのそれぞれが開始されてから、前記書き込み期間Ｔａ１、Ｔａ２、…、Ｔａｎのそれぞれの次に出現する書き込み期間もしくは消去期間が開始されるまでの期間が表示期間Ｔｒ１、Ｔｒ２、…、Ｔｒ（ｍ−１）であり、
前記消去期間Ｔｅ１、Ｔｅ２、…、Ｔｅ（ｍ−１）のそれぞれが開始されてから、前記消去期間Ｔｅ１、Ｔｅ２、…、Ｔｅ（ｍ−１）のそれぞれの次に出現する書き込み期間が開始されるまでの期間が非表示期間Ｔｄ１、Ｔｄ２、…、Ｔｄｎであり、
前記書き込み期間Ｔａ１、Ｔａ２、…、Ｔａｎにおいて、前記ソース信号線駆動回路から出力されたデジタルビデオ信号を前記第１のＴＦＴが有するゲート電極及び前記第２のＴＦＴが有するゲート電極へ入力し、
前記消去期間Ｔｅ１、Ｔｅ２、…、Ｔｅ（ｍ−１）において、前記第１のＴＦＴが有するゲート電極及び前記第２のＴＦＴが有するゲート電極に入力された前記デジタルビデオ信号を消去し、
前記デジタルビデオ信号によって、前記表示期間Ｔｒ１、Ｔｒ２、…、Ｔｒｎにおいて前記複数のＥＬ素子が発光するか発光しないかを選択し、
前記表示期間Ｔｒ１、Ｔｒ２、…、Ｔｒｎの長さの比は、２0：２1：…、２(n-1)で表されることを特徴とする発光装置の駆動方法。
【請求項３９】
請求項３５乃至請求項３８のいずれか一において、
前記表示期間Ｔｒ１、Ｔｒ２、…、Ｔｒｎが出現する順序はランダムであることを特徴とする発光装置の駆動方法。
【請求項４０】
請求項３５乃至請求項３９のいずれか一において、
前記非表示期間Ｔｄ１、Ｔｄ２、…、Ｔｄ（ｍ−１）のうち一番長い非表示期間が、フレーム期間中において一番最後に出現することを特徴とする発光装置の駆動方法。
【請求項４１】
請求項３５乃至請求項４０のいずれか一において、前記書き込み期間Ｔａ１、Ｔａ２、…、Ｔａｎは互いに重なっていないことを特徴とする発光装置の駆動方法。
【請求項４２】
請求項３５乃至請求項４１のいずれか一において、前記消去期間Ｔｅ１、Ｔｅ２、…、Ｔｅ（ｍ−１）は互いに重なっていないことを特徴とする発光装置の駆動方法。
【請求項４３】
請求項３５乃至請求項４２のいずれか一において、前記第１のＴＦＴまたは前記第２のＴＦＴは、線形領域で駆動することを特徴とする発光装置の駆動方法。